(57)【特許請求の範囲】
【請求項１】
複数のソーラーセルが平面的に配列された第１ソーラー部と、
複数のソーラーセルが平面的に配列され、前記第１ソーラー部に対して面方向に位置がずれた状態で、前記第１ソーラー部より下側に所定間隔を隔てて配置された第２ソーラー部と、
前記第１ソーラー部と前記第２ソーラー部とを連結する連結部と、を備え、
前記連結部は、前記第２ソーラー部より下側に位置する領域内に配置される接続部を有し、この接続部に前記第１ソーラー部と前記第２ソーラー部とが電気的に接続される接点端子が設けられていることを特徴とするソーラー発電装置。
【請求項２】
請求項１に記載のソーラー発電装置において、前記第１ソーラー部と前記第２ソーラー部と前記連結部とは、フレキシブルなフィルムによって一体に連結形成されていることを特徴とするソーラー発電装置。
【請求項３】
請求項１または請求項２に記載のソーラー発電装置において、前記連結部は、前記接続部と前記第１ソーラー部とを連結する第１連結片と、前記接続部と前記第２ソーラー部とを連結する第２連結片とを有し、前記第１連結片が前記第２連結片よりも前記第１ソーラー部と前記第２ソーラー部との上下方向における前記所定間隔だけ長く形成されていることを特徴とするソーラー発電装置。
【請求項４】
請求項３に記載のソーラー発電装置において、前記連結部は、前記第１、第２の各ソーラー部の側方に位置し、前記第１連結片は、前記第１ソーラー部の外周部の一端部と前記接続部の一側部とに折り曲げ可能に連結され、前記第２連結片は、前記第１ソーラー部の前記一端部に隣接する前記第２ソーラー部の外周部の一端部と前記接続部の前記一側部とに、前記第１連結片と平行な状態で、折り曲げ可能に連結されていることを特徴とするソーラー発電装置。
【請求項５】
請求項３に記載のソーラー発電装置において、前記連結部は、前記第１、第２の各ソーラー部の間に位置し、前記第１連結片は、前記第１ソーラー部の外周における中間部と前記接続部の一端部とに折り曲げ可能に連結され、前記第２連結片は、前記第２ソーラー部の外周における中間部と前記接続部の他端部とに折り曲げ可能に連結されていることを特徴とするソーラー発電装置。
【請求項６】
請求項３に記載のソーラー発電装置において、前記連結部は、前記第１、第２の各ソーラー部の間に位置し、前記第１連結片は、その一端部が前記接続部の一端部に斜めに折り曲げ可能に連結されていると共に、前記第１連結片の他端部が前記第１ソーラー部の外周部に折り曲げ可能に連結されており、前記第２連結片は、その一端部が前記接続部の他端部に斜めに折り曲げ可能に連結されていると共に、前記第２連結片の他端部が前記第２ソーラー部の外周部に折り曲げ可能に連結されていることを特徴とするソーラー発電装置。
【請求項７】
請求項１〜請求項６のいずれかに記載のソーラー発電装置において、前記連結部の前記接続部における前記接点端子は、前記第２ソーラー部より下側に位置する回路基板上の接続電極に接続部材によって電気的に接続されていることを特徴とするソーラー発電装置。
【請求項８】
請求項１〜請求項７のいずれかに記載されたソーラー発電装置を備えていることを特徴とする電子時計。
【発明の詳細な説明】
【技術分野】
【０００１】
この発明は、電子腕時計などの電子機器に用いられるソーラー発電装置およびそのソーラー発電装置を備えた電子時計に関する。
【背景技術】
【０００２】
例えば、電子腕時計に用いられるソーラー発電装置においては、特許文献１に記載されているように、光透過性を有する文字板の下面に配置された第１ソーラー部と、この第１ソーラー部の外周に沿って配置された第２ソーラー部とを備え、この第２ソーラー部によって受光面積を増大させるように構成されたものが知られている。
【先行技術文献】
【特許文献】
【０００３】
【特許文献１】特開２０１０−７８５０７号公報
【０００４】
この種のソーラー発電装置は、第１ソーラー部と第２ソーラー部とにそれぞれ複数のソーラーセルを設け、この第１ソーラー部と第２ソーラー部とをそれぞれ別々に形成し、第１ソーラー部をコイルばねによって回路基板と電気的に接続すると共に、第２ソーラー部をリード線によって回路基板と電気的に接続するように構成されている。
【発明の概要】
【発明が解決しようとする課題】
【０００５】
しかしながら、このようなソーラー発電装置では、第１ソーラー部と第２ソーラー部とを別々に形成して個別に組み付けると共に、第１ソーラー部と第２ソーラー部とを個別に回路基板と電気的に接続しなければならないため、組立作業および接続作業が煩雑で面倒であるという問題がある。
【０００６】
この発明が解決しようとする課題は、複数のソーラー部を一体化して、組立作業および接続作業の簡素化を図ることができるソーラー発電装置および電子時計を提供することである。
【課題を解決するための手段】
【０００７】
この発明は、複数のソーラーセルが平面的に配列された第１ソーラー部と、複数のソーラーセルが平面的に配列され、前記第１ソーラー部に対して面方向に位置がずれた状態で、前記第１ソーラー部より下側に所定間隔を隔てて配置された第２ソーラー部と、前記第１ソーラー部と前記第２ソーラー部とを連結する連結部と、を備え、前記連結部は、前記第２ソーラー部より下側に位置する領域内に配置される接続部を有し、この接続部に前記第１ソーラー部と前記第２ソーラー部とが電気的に接続される接点端子が設けられていることを特徴とするソーラー発電装置である。
【発明の効果】
【０００８】
この発明によれば、連結部によって第１ソーラー部と第２ソーラー部とを連結して一体化することができると共に、第１ソーラー部と第２ソーラー部とを連結部における接続部の接点端子に電気的に接続することができるので、第１、第２の各ソーラー部を一箇所の接点端子に集中させることができる。このため、第１、第２の各ソーラー部を個別に組み付けて個別に接続する必要がなく、一度に組み付けて一度に接続することができるので、複数のソーラー部を備えていても、これらを一体化して組立作業および接続作業の簡素化を図ることができる。
【図面の簡単な説明】
【０００９】
【図１】この発明を電子腕時計に適用した第１実施形態を示した拡大正面図である。
【図２】図１の示された電子腕時計のＡ−Ａ矢視における要部の拡大断面図である。
【図３】図２に示された電子腕時計のソーラー発電装置を展開して示した拡大展開図である。
【図４】この発明を電子腕時計に適用した第２実施形態を示した拡大断面図である。
【図５】図４に示された電子腕時計のソーラー発電装置を展開して示した拡大展開図である。
【図６】この発明を電子腕時計に適用した第３実施形態を示した拡大断面図である。
【図７】図６に示された電子腕時計のソーラー発電装置を展開して示した拡大展開図である。
【発明を実施するための形態】
【００１０】
（第１実施形態）
以下、図１〜図３を参照して、この発明を指針式の電子腕時計に適用した第１実施形態について説明する。
この電子腕時計は、図１に示すように、腕時計ケース１を備えている。この腕時計ケース１の上部開口部には、図１および図２に示すように、時計ガラス２が装着されており、この腕時計ケース１の下部には、裏蓋３が取り付けられている。この腕時計ケース１の１２時側と６時側とには、バンド取付部ＢＴが設けられている。
【００１１】
また、この腕時計ケース１の内部には、図２に示すように、時計モジュール４が組み込まれている。この時計モジュール４は、ハウジング５を備えている。このハウジング５内には、時計ムーブメント６が設けられている。また、このハウジング５の上面には下文字板７が配置されている。この下文字板７は、ほぼ半円形状に形成されている。この下文字板７の上方には、図２に示すように、上文字板８が所定間隔Ｓを隔てて配置される。この上文字板８は、ほぼ円形状に形成されている。
【００１２】
この上文字板８には、図１および図２に示すように、表示開口部８ａが下文字板７に対応して設けられている。この表示開口部８ａは、図１に示すように、ほぼ半円に近い扇形状に形成されている。この上文字板８の外周部上には、リング状の見切り部材９が配置されている。また、このハウジング５の下部には、回路基板１０が基板押え板（図示せず）によって設けられている。
【００１３】
時計ムーブメント６は、図１および図２に示すように、指針軸１１を回転させることにより、分針１２、時針１３を運針させて時刻を指示させると共に、表示回転板１４を回転させて世界の主要都市などの情報を表示させるように構成されている。すなわち、この時計ムーブメント６は、通常は分針１２、時針１３を運針させて現在時刻を指示するほか、表示回転板１４を回転させて情報表示部１４ａに表示された世界の主要都市のいずれかを表示させた際に、その都市の時刻を分針１２、時針１３によって指示するように構成されている。
【００１４】
この場合、指針軸１１は、同一軸上に分針１２用、時針１３用、表示回転板１４用のなどの複数の回転軸を有している。この指針軸１１は、図２に示すように、下文字板７および上文字板８を通して時計ガラス２の下側に向けて突出している。この指針軸１１の上部には、分針１２、時針１３が取り付けられている。また、指針軸１１における下文字板７と上文字板８との間に位置する中間部には、表示回転板１４が取り付けられている。
【００１５】
この表示回転板１４は、図１および図２に示すように、ディスク針であり、光透過性を有する材料によってほぼ円板形状に形成され、その中心部が指針軸１１に取り付けられている。この表示回転板１４は、その上面に情報表示部１４ａが設けられ、時計ムーブメント６によって回転する指針軸１１と共に下文字板７上を回転するように構成されている。
【００１６】
この場合、表示回転板１４の情報表示部１４ａは、図１および図２に示すように、世界の主要都市などの情報が表示回転板１４の周囲に沿って表示され、この表示された情報の一部、つまり世界の主要都市のいずれかが上文字板８の表示開口部８ａに対応して上方に露呈した際に、指示マーク８ｂによって世界の主要都市の１つが指示されるように構成されている。
【００１７】
ところで、時計モジュール４は、図２に示すように、ソーラー発電装置１５を備えている。このソーラー発電装置１５は、図２および図３に示すように、上文字板８の下面に配置される第１ソーラー部１６と、下文字板７の下面に配置される第２ソーラー部１７と、これら第１、第２の各ソーラー部１６、１７を連結する連結部１８とを備えている。
【００１８】
この場合、下文字板７と上文字板８とは、それぞれ透明または半透明の光透過性を有する材料で形成されている。また、第１、第２の各ソーラー部１６、１７および連結部１８は、図３に示すように、それぞれフレキシブルなフィルムによって一体に形成されている。第１ソーラー部１６は、図３に示すように、ほぼ半円形状に形成され、その上面に複数のソーラーセル２０が平面的に配列されている。
【００１９】
第２ソーラー部１７も、第１ソーラー部１６と同様、ほぼ半円形状に形成され、その上面に複数のソーラーセル２１が平面的に配列されている。この第２ソーラー部１７は、図２および図３に示すように、第１ソーラー部１６に対してほとんど重なり合わずに面方向に位置がほぼ１８０度回転してずれた状態で、第１ソーラー部１６の下側に所定間隔Ｓを隔てて配置されるように構成されている。
【００２０】
すなわち、第１ソーラー部１６と第２ソーラー部１７とは、図３に示すように、その各半円の弦部が互いに対向して配置されるように構成されている。また、この第１ソーラー部１６と第２ソーラー部１７とにおける各半円の弦部の中間部には、指針軸１１が挿入する半円形の切欠き孔１６ｂ、１７ｂがそれぞれ設けられている。
【００２１】
連結部１８は、図２および図３に示すように、第１ソーラー部１６と第２ソーラー部１７との側方に位置した状態で、これらを折り曲げ可能に連結するものであり、第２ソーラー部１７の下側に位置する領域内に向けて折り曲げられる接続部２２を有し、この接続部２２に第１ソーラー部１６と第２ソーラー部１７とが電気的に接続される一対の接点端子２３が設けられた構成になっている。また、この連結部１８には、第１、第２の各ソーラー部１６、１７の各ソーラーセル２０、２１と一対の接点端子２３とを電気的に接続するための配線パターン１８ａが設けられている。
【００２２】
この連結部１８は、図３に示すように、第１ソーラー部１６と第２ソーラー部１７との側方（図３では左側）に位置する接続部２２と第１ソーラー部１６とを連結する第１連結片２４を有していると共に、その接続部２２と第２ソーラー部１７とを連結する第２連結片２５を有している。この場合、第１連結片２４は、第１ソーラー部１６と第２ソーラー部１７との上下方向における所定間隔Ｓ、つまり下文字板７と上文字板８との上下の所定間隔Ｓだけ、第２連結片２５よりも長く形成されている。
【００２３】
また、この連結部１８の第１連結片２４は、図３に示すように、第１ソーラー部１６の半円の外周における一端部（図３では左上部）と接続部２２の一側部（図３では右側部）の下部とに折り曲げ可能に連結されている。第２連結片２５は、第１ソーラー部１６の一端部に隣接する第２ソーラー部１７の半円の外周における一端部（図３では左下部）と接続部２２の一側部（図３では右側部）の上部とに、第１連結片２４と平行な状態で、折り曲げ可能に連結されている。
【００２４】
一方、連結部１８の一対の接点端子２３は、図２および図３に示すように、第２ソーラー部１７の下側に位置する回路基板１０上の一対の接続電極２６に、一対のコイルばね２７によって電気的に接続されるように構成されている。この場合、回路基板１０が配置されるハウジング５には、図２に示すように、連結部１８が挿入して配置される連結収納部２８が、回路基板１０上の一対の接続電極２６に対応して設けられている。
【００２５】
この連結収納部２８は、図２に示すように、上文字板８の外周に対応する箇所、および下文字板７の外周に位置する箇所に連続して設けられて連結部１８の第１、第２の各連結片２４、２５が挿入するガイド孔２８ａと、このガイド孔２８ａから第２ソーラー部１７の外周部の下側に位置するハウジング５内に設けられてハウジング５の下側に開放された収納凹部２８ｂとを備えている。
【００２６】
これにより、連結部１８は、図２に示すように、第１、第２の各連結片２４、２５が接続部２２と共に連結収納部２８のガイド孔２８ａ内に挿入され、この挿入された接続部２２が連結収納部２８の収納凹部２８ｂ内に向けて折り曲げられ、この折り曲げられた接続部２２の接点端子２３が収納凹部２８ｂ内において回路基板１０上の接続電極２６に対応するように構成されている。
【００２７】
一対のコイルばね２７は、図２に示すように、連結収納部２８の収納凹部２８ｂ内において、接続部２２と回路基板１０との間に配置され、この状態で上端部が接続部２２の接点端子２３に弾接して、接続部２２を収納凹部２８ｂ内の上部に位置するハウジング５の内面（図２では上部の下面）に押し付け、且つ下端部が回路基板１０の接続電極２６に弾接し、これにより接続部２２の接点端子２３と回路基板１０の接続電極２６とを電気的に接続するように構成されている。
【００２８】
次に、このソーラー発電装置１５を製作する場合について説明する。
この場合には、予め、１枚のフレキシブルなフィルムの同一面（図３では表面）上における所定箇所にソーラーセル２０、２１、接点端子２３、および配線パターン１８ａを形成し、このソーラーセル２０、２１および配線パターン１８ａに沿ってフィルムを裁断する。これにより、図３に示すように、第１、第２の各ソーラー部１６、１７および連結部１８が一体に連結されて展開された状態で形成される。
【００２９】
この状態では、図３に示すように、第１ソーラー部１６は、ほぼ半円形状に形成され、そのほぼ半円の弦部が上弦となる。第２ソーラー部１７は、ほぼ半円形状に形成され、そのほぼ半円の弦部が下弦となる。この第１ソーラー部１６と第２ソーラー部１７とは、その各弦部が互いに対向した状態で、第１ソーラー部１６と第２ソーラー部１７とが左右にずれて配置されている。
【００３０】
また、この状態では、図３に示すように、連結部１８が第１ソーラー部１６と第２ソーラー部１７との側方（図３では左側）に位置し、この連結部１８の第１連結片２４が接続部２２の一側辺（図３では右辺）の下部と第１ソーラー部１６のほぼ半円形状の左端部とに連結され、第２連結片２５が接続部２２の一側辺（図３では右辺）の上部と第２ソーラー部１７のほぼ半円形状の左端部とに連結されている。
【００３１】
この場合、第１連結片２４は、図３に示すように、下文字板７と上文字板８との上下の所定間隔Ｓだけ、第２連結片２５よりも長く形成されている。これにより、第１ソーラー部１６は、その下文字板７と上文字板８との上下の所定間隔Ｓの長さだけ、第２ソーラー部１７よりも連結部１８と反対側（図３では右側）に位置がずれて配置されている。
【００３２】
さらに、この状態では、図３に示すように、第１ソーラー部１６のソーラーセル２０および第２ソーラー部１７のソーラーセル２１がフィルムの上面に形成されており、連結部１８の接点端子２３もフィルムの上面に形成されている。このため、ソーラーセル２０、２１は、フィルムの上面である同一面において、配線パーン１８ａによって連結部１８の接点端子２３と電気的に接続されている。
【００３３】
この状態で、連結部１８の第１連結片２４を第１ソーラー部１６との連結箇所において下側に向けてほぼ直角に折り曲げると共に、第２連結片２５を第２ソーラー部１７との連結箇所において下側に向けてほぼ直角に折り曲げる。このときには、下文字板７と上文字板８との上下の所定間隔Ｓだけ、第１連結片２４が第２連結片２５よりも長く形成されていることにより、第１ソーラー部１６が第２ソーラー部１７の上方に位置する。これにより、ソーラー発電装置１５が立体的に形成される。
【００３４】
次に、この立体的なソーラー発電装置１５を時計モジュール４に組み付ける場合について説明する。
この場合には、予め、ハウジング５内に時計ムーブメント６を組み付けて、指針軸１１をハウジング５の上方に突出させる。この状態で、第２ソーラー部１７上に下文字板７を配置し、この下文字板７の軸挿入孔（図示せず）および第２ソーラー部１７の切欠き孔１７ｂに指針軸１１を挿入させる。
【００３５】
この後、下文字板７の上方に突出した指針軸１１に表示回転板１４を取り付け、この表示回転板１４の上方に第１ソーラー部１６を配置し、この第１ソーラー部１６上に上文字板８を配置する。このときにも、上文字板８の軸挿入孔（図示せず）および第１ソーラー部１６の切欠き孔１６ｂに指針軸１１を挿入させる。この状態で、連結部１８をハウジング５の連結収納部２８のガイド孔２８ａ内に上方から挿入しながら、第２ソーラー部１７を下文字板７と共にハウジング５上に配置する。
【００３６】
そして、ハウジング５の連結収納部２８のガイド孔２８ａ内に挿入された連結部１８の接続部２２を連結収納部２８の収納凹部２８ｂ内に向けてほぼ直角に折り曲げて配置する。このときには、第１ソーラー部１６と第２ソーラー部１７との各上面に対応する連結部１８の接続部２２に設けられた一対の接点端子２３が下側に向いて配置されている。この状態で、一対の接点端子２３の下側に一対のコイルばね２７を配置して、ハウジング５の下面に回路基板１０を基板押え板（図示せず）によって取り付ける。
【００３７】
すると、一対のコイルばね２７が、図２に示すように、連結収納部２８の収納凹部２８ｂ内において、接続部２２と回路基板１０との間に挟まれ、この状態でコイルばね２７の上端部が接続部２２の接点端子２３に弾接して、接続部２２を収納凹部２８ｂの上部に位置するハウジング５に押し付ける共に、コイルばね２７の下端部が回路基板１０の接続電極２６に弾接する。
【００３８】
これにより、接続部２２の一対の接点端子２３と回路基板１０の一対の接続電極２６とが電気的に接続された状態で、ソーラー発電装置１５がハウジング５に組み付けられる。そして、上文字板８の上方に突出した指針軸１１の上部に分針１２および時針１３を取り付け、この状態でソーラー発電装置１５がハウジング５と共に腕時計ケース１内に組み込まれる。
【００３９】
次に、このような電子腕時計の作用について説明する。
この電子腕時計は、通常は、時計ムーブメント６によって指針軸１１が回転され、これに伴って、分針１２および時針１３が上文字板８の上方を運針して現在時刻を指示する。また、時計ムーブメント６によって指針軸１１が回転し、その回転によって表示回転板１４が下文字板７と上文字板８との間で回転すると、表示回転板１４の上面に設けられた世界の主要都市の情報表示部１４ａの一部が、上文字板８の表示開口部８ａに対応する。
【００４０】
すなわち、表示回転板１４の上面に設けられた世界の主要都市の情報表示部１４ａの一部が、上文字板８の表示開口部８ａを通して露呈し、この情報表示部１４ａのいずれかの都市名が指示マーク８ｂによって指示表示されると、その指示表示された都市の時刻を分針１２および時針１３によって指示する。
【００４１】
このような状態では、時計ガラス２を通して外部光が腕時計ケース１内に入射し、この入射した外部光によってソーラー発電装置１５が発電する。すなわち、腕時計ケース１内に入射した外部光のうち、上文字板８に照射された光は、この上文字板８を透過して第１ソーラー部１６に照射され、この照射された光によって第１ソーラー部１６のソーラーセル２０が発電する。
【００４２】
同様に、上文字板８の表示開口部８ａを透過した光は、その下側に位置する表示回転板１４を透過して下文字板７に照射され、この照射された光が下文字板７を更に透過して第２ソーラー部１７に照射され、この照射された光によって第２ソーラー部１７のソーラーセル２１が発電する。
【００４３】
この場合、下文字板７と上文字板８との高さが異なり、且つこの下文字板７と上文字板８との間に表示回転板１４が配置されていても、第１、第２の各ソーラー部１６、１７によって受光面積が確保され、この第１、第２の各ソーラー部１６、１７の各ソーラーセル２０、２１によって十分な電力が発電される。
【００４４】
このように発電した電力は、連結部１８の一対の接点端子２３から一対のコイルばね２７を介して回路基板１０の一対の接続電極２６に送られ、この回路基板１０のコンデンサなどの電源部（図示せず）に電源として一時蓄えられ、この蓄えられた電力によって時計ムーブメント６を駆動する。
【００４５】
このように、この電子腕時計のソーラー発電装置１５によれば、複数のソーラーセル２０が平面的に配列された第１ソーラー部６と、複数のソーラーセル２１が平面的に配列され、第１ソーラー部１６に対し面方向に位置がずれた状態で、第１ソーラー部１６の下側に所定間隔Ｓを隔てて配置された第２ソーラー部１７と、第１ソーラー部１６と第２ソーラー部１７とを折り曲げ可能に連結する連結部１８と、を備え、この連結部１８が、第２ソーラー部１７の下側に位置する領域内に向けて折り曲げられる接続部２２を有し、この接続部２２に第１ソーラー部１６と第２ソーラー部１７とが電気的に接続される一対の接点端子２３を設けた構成であるから、複数のソーラー部１６、１７を一体化して、組立作業および接続作業の簡素化を図ることができる。
【００４６】
すなわち、このソーラー発電装置１５では、連結部１８によって第１ソーラー部１６と第２ソーラー部１７とを連結して一体化することができると共に、第１ソーラー部１６と第２ソーラー部１７とを連結部１８の一対の接点端子２３に電気的に接続することができるので、第１、第２の各ソーラー部１６、１７を一箇所の接点端子２３に集中させることができる。このため、第１、第２の各ソーラー部１６、１７を個別に組み付けて個別に接続する必要がなく、一度に組み付けて一度に接続することができるので、複数のソーラー部１６、１７を備えていても、これらを一体化して組立作業および接続作業の簡素化を図ることができる。
【００４７】
これにより、接続スペースを最小限に抑えて、装置全体をコンパクトに構成することができるほか、第１、第２の各ソーラー部１６、１７の高さが、下文字板７と上文字板８との高さに応じて、異なっていても、連結部１８によって第１、第２の各ソーラー部１６、１７を良好に配置することができると共に、受光面積を確保することができ、発電量を十分に確保することができる。
【００４８】
この場合、第１ソーラー部１６と第２ソーラー部１７と連結部１８とは、フレキシブルなフィルムによって一体に連結されているので、１枚のフィルムを裁断するだけで、簡単に製作することができると共に、連結部１８を折り曲げることにより、第１ソーラー部１６と第２ソーラー部１７とを容易に上下方向に所定間隔Ｓずらして配置することができ、これにより簡単に第１ソーラー部１６と第２ソーラー部１７とを立体的に構成することができる。
【００４９】
この場合、連結部１８は、その片面のみに接点端子２３および配線パターン１８ａを形成するだけで、両面に配線パターンを形成する必要がないので、容易に製作することができると共に、この連結部１８の接続部２２に接点端子２３を設けているので、接続部２２の折り曲げにより接点端子２３の位置を自由に設定することができ、これにより回路基板１０の接続電極２６などのパターン設計が容易になり、回路基板１０のパターン設計の自由度を高めることができる。
【００５０】
また、連結部１８は、接続部２２と第１ソーラー部１６とを連結する第１連結片２４と、接続部２２と第２ソーラー部１７とを連結する第２連結片２５とを有し、第１連結片２４が第１ソーラー部１６と第２ソーラー部１７との上下方向における所定間隔Ｓだけ、第２連結片２５よりも長く形成されていることにより、第１連結片２４を第１ソーラー部１６との連結部分で下側に向けてほぼ直角に折り曲げると共に、第２連結片２５を第２ソーラー部１７との連結部分で下側に向けてほぼ直角に折り曲げるだけで、第１ソーラー部１６と第２ソーラー部１７とを容易に上下方向に所定間隔Ｓずらして配置することができる。
【００５１】
この場合、連結部１８の第１連結片２４は、第１ソーラー部１６の外周部の一端部と連結部１８の接続部２２における一側部とに折り曲げ可能に連結されており、第２連結片２５は、第１ソーラー部１６の一端部に隣接する第２ソーラー部１７の外周部の一端部と連結部１８の接続部２２における一側部とに、第１連結片２４と平行な状態で、折り曲げ可能に連結されていることにより、第１ソーラー部１６と第２ソーラー部１７とを連結部１８でコンパクトに連結することができると共に、連結部１８をハウジング５内にコンパクトに配置することができる。
【００５２】
また、このソーラー発電装置１５では、連結部１８の接続部２２における接点端子２３が、第２ソーラー部１７の下側に位置する回路基板１０上の接続電極２６に、コイルばね２７によって電気的に接続されていることにより、連結部１８の接点端子２３と回路基板１０上の接続電極２６との間にコイルばね２７を配置するだけで、連結部１８の接点端子２３と回路基板１０上の接続電極２６とを確実に且つ容易に接続することができる。
【００５３】
この場合、第１ソーラー部１６のソーラーセル２０、第２ソーラー部１７のソーラーセル２１、および連結部１８の接点端子２３がフィルムの同一面である上面に形成されているため、連結部１８の接続部２２を第２ソーラー部１７の下側に位置する領域に向けて折り曲げるだけで、連結部１８の接点端子２３を回路基板１０上の接続電極２６に対向させることができるので、連結部１８の接点端子２３と回路基板１０上の接続電極２６とをコイルばね２７によって簡単に且つ容易に接続することができ、これにより接続作業の向上を図ることができる。
【００５４】
また、ハウジング５には、連結部１８が配置される連結収納部２８が回路基板１０上の一対の接続電極２６に対応して設けられており、この連結収納部２８は、連結部１８の第１、第２の各連結片２４、２５が挿入するガイド孔２８ａと、このガイド孔２８ａから第２ソーラー部１７の外周部の下側に位置するハウジング５内に設けられた収納凹部２８ｂとを備えているので、この連結収納部２８内において、連結部１８の接点端子２３と回路基板１０上の接続電極２６とをコイルばね２７によって電気的に接続することができる。
【００５５】
この場合には、連結部１８の第１、第２の各連結片２４、２５を接続部２２と共に連結収納部２８のガイド孔２８ａ内に挿入し、この挿入された接続部２２を連結収納部２８の収納凹部２８ｂ内に向けて折り曲げることにより、この折り曲げられた接続部２２の接点端子２３を収納凹部２８ｂ内において回路基板１０上の接続電極２６に対向させることができる。
【００５６】
これにより、コイルばね２７を接続部２２と回路基板１０との間に配置するだけで、コイルばね２７の上端部を接続部２２の接点端子２３に弾接させ、その下端部を回路基板１０の接続電極２６に弾接させることがきるので、コイルばね２７によって接続部２２の接点端子２３と回路基板１０の接続電極２６とを確実に且つ良好に接続することができる。
【００５７】
このときには、連結収納部２８の収納凹部２８ｂ内において、接続部２２がコイルばね２７によって収納凹部２８ｂ内の上部に位置するハウジング５の内面に押し付けられるので、コイルばね２７を用いても、第２ソーラー部１７および下文字板７がコイルばね２７のばね力によって変形したり、圧力痕が生じたりすることがないので、外観的にもデザイン的にも好ましいものを得ることができる。
【００５８】
（第２実施形態）
次に、図４および図５を参照して、この発明を適用した電子腕時計の第２実施形態について説明する。なお、図１〜図３に示された第１実施形態と同一部分には同一符号を付して説明する。
この電子腕時計は、図４および図５に示すように、ソーラー発電装置３０が第１実施形態と異なる構成であり、これ以外は第１実施形態とほぼ同じ構成になっている。
【００５９】
すなわち、このソーラー発電装置３０は、図４および図５に示すように、上文字板８の下面に配置される第１ソーラー部３１と、下文字板７の下面に配置される第２ソーラー部３２と、これら第１、第２の各ソーラー部３１、３２を連結する連結部３３とを備えている。この場合にも、第１、第２の各ソーラー部３１、３２および連結部３３は、図５に示すように、それぞれフレキシブルなフィルムによって一体に形成されている。
【００６０】
第１ソーラー部３１は、図５に示すように、ほぼ半円形状に形成され、その上面に複数のソーラーセル３４が平面的に配列されている。この場合、第１ソーラー部３１のほぼ半円の弦部には、後述する第２ソーラー部３２に対して重なり合うオーバーラップ部３１ａが面方向に突出して設けられている。
【００６１】
第２ソーラー部３２は、図５に示すように、ほぼ半円形状に形成され、その上面に複数のソーラーセル３５が平面的に配列されている。この第２ソーラー部３２は、図４に示すように、第１ソーラー部３１のオーバーラップ部３１ａを除いて、第１ソーラー部３１に対しほとんど重なり合わずに面方向に位置がほぼ１８０度回転してずれた状態で、第１ソーラー部３１の下側に所定間隔Ｓを隔てて配置されるように構成されている。
【００６２】
すなわち、第１ソーラー部３１と第２ソーラー部３２とは、図４に示すように、立体的に配置された際に、各半円の弦部が互いに対向する状態で上下に位置がずれて配置されるように構成されている。また、この第１ソーラー部３１と第２ソーラー部３２とにおける各半円の弦部の中間部には、図５に示すように、指針軸１１が挿入する半円形の切欠き孔３１ｂ、３２ｂがそれぞれ設けられている。
【００６３】
連結部３３は、図４および図５に示すように、第１ソーラー部３１と第２ソーラー部３２との間に位置した状態で、これらを折り曲げ可能に連結するものであり、第２ソーラー部３２の下側に位置する領域内、つまり時計ムーブメント６の下面に沿って配置される接続部３６を有し、この接続部３６に第１ソーラー部３１と第２ソーラー部３２とが電気的に接続される一対の接点端子３７が設けられた構成になっている。
【００６４】
この連結部３３には、図５に示すように、第１、第２の各ソーラー部３１、３２の各ソーラーセル３４、３５と一対の接点端子３７とを電気的に接続するための配線パターン３３ａが設けられている。また、この連結部３３は、第１ソーラー部３１と第２ソーラー部３２との間に配置される接続部３６と、この接続部３６の一端部（図５では左端部）および第１ソーラー部３１を連結する第１連結片３８と、接続部３６の他端部（図５では右端部）および第２ソーラー部３２を連結する第２連結片３９とを有している。
【００６５】
この場合、第１連結片３８は、図４および図５に示すように、第１ソーラー部３１と第２ソーラー部３２との上下方向における所定間隔Ｓ、つまり下文字板７と上文字板８との上下の所定間隔Ｓだけ、第２連結片３９よりも長く形成されている。この連結部３３の接続部３６は、帯状に形成され、その長さが時計ムーブメント６の長さと同じか、それよりも少し長く形成されている。
【００６６】
また、第１連結片３８は、図５に示すように、接続部３６の一端部（図５では左端部）と第１ソーラー部３１のほぼ半円形状の外周における中間部とに折り曲げ可能に連結されている。第２連結片３９は、接続部３６の他端部（図５では右端部）と第２ソーラー部３２のほぼ半円形状の外周における中間部とに折り曲げ可能に連結されている。
【００６７】
これにより、連結部３３は、図４および図５に示すように、接続部３６が時計ムーブメント６の下面に沿って配置されると、第１連結片３８と第２連結片３９とが時計ムーブメント６の両側に突出して配置されるように構成されている。この連結部３３の第１連結片３８は、時計ムーブメント６の端部に位置する接続部３６の一端部（図４では右端部）で上方に向けて折り曲げられ、この折り曲げられた第１連結片３８の上部で第１ソーラー部３１を折り曲げて上文字板８の下側に配置するように構成されている。
【００６８】
同様に、第２連結片３９は、図４および図５に示すように、時計ムーブメント６の端部に位置する接続部３６の他端部（図４では左端部）で上方に向けて折り曲げられ、この折り曲げられた第２連結片３９の上部で第２ソーラー部３２を折り曲げて下文字板７の下側に配置するように構成されている。
【００６９】
また、この連結部３３の接点端子３７は、第１実施形態と同様、ハウジング５に配置される回路基板１０上の一対の接続電極２６に一対のコイルばね２７によって電気的に接続されるように構成されている。この場合、ハウジング５は、図４に示すように、上部ハウジング５ａと下部ハウジング５ｂとを備えている。上部ハウジング５ａは、その内部に時計ムーブメント６が配置されるように構成されている。
【００７０】
下部ハウジング５ｂは、図４に示すように、上部ハウジング５ａの下部に配置されている。この下部ハウジング５ｂの下部には、回路基板１０が配置されている。また、この下部ハウジング５ｂには、上下に貫通して一対のコイルばね２７が挿入するばね挿入孔５ｃが回路基板１０上の一対の接続電極２６に対応して設けられている。
【００７１】
また、この場合にも、一対のコイルばね２７は、図４に示すように、接続部３６と回路基板１０との間に配置され、この状態で上端部が接続部３６の接点端子３７に弾接して接続部３６をハウジング５に押し付け、且つ下端部が回路基板１０の接続電極２６に弾接し、これにより接続部２２の接点端子２３と回路基板１０の接続電極２６とを電気的に接続するように構成されている。
【００７２】
次に、このソーラー発電装置３０を製作する場合について説明する。
この場合にも、第１実施形態と同様、１枚のフレキシブルなフィルムの同一面上における所定箇所にソーラーセル３４、３５、接点端子３７、および配線パターン３３ａを形成し、このソーラーセル３４、３５および配線パターン３３ａに沿ってフィルムを裁断する。これにより、図５に示すように、第１、第２の各ソーラー部３１、３２および連結部３３が一体に連結されて展開された状態で形成される。
【００７３】
この状態では、図５に示すように、第１ソーラー部３１は、ほぼ半円形状に形成され、そのほぼ半円の弦部が左側を向き、第２ソーラー部３２は、ほぼ半円形状に形成され、そのほぼ半円の弦部が右側を向き、第１ソーラー部３１と第２ソーラー部３２との各半円同士が背中合わせで配置され、この状態で第１ソーラー部３１のほぼ半円形状の外周部と第２ソーラー部３２のほぼ半円形状の外周部との間に連結部３３が連結された状態で配置されている。
【００７４】
この場合には、図５に示すように、第１連結片３８が、下文字板７と上文字板８との上下の所定間隔Ｓだけ、第２連結片３９よりも長く形成されている。また、この状態では、第１ソーラー部３１のソーラーセル３４および第２ソーラー部３２のソーラーセル３５がフィルムの上面に形成されており、連結部３３の接点端子３７もフィルムの上面に形成されている。このため、ソーラーセル３４、３５は、フィルムの上面である同一面上において、配線パーン３３ａによって連結部３３の接点端子３７と電気的に接続されている。
【００７５】
次に、このようなソーラー発電装置３０を時計モジュール４に組み付ける場合について説明する。
この場合には、予め、第１、第２の各ソーラー部３１、３２および連結部３３を表裏反転させて、ソーラーセル３４、３５および接点端子３７を下向きにする。この状態で、連結部３３の接続部３６を時計ムーブメント６の下側に配置して、第１、第２の各連結片３８、３９を時計ムーブメント６の両側に向けて突出させる。
【００７６】
そして、図４に示すように、第２連結片３９を連結部３３の接続部３６の端部で上方に向けて折り曲げた後、この第２連結片３９の上端部で第２ソーラー部３２を時計ムーブメント６の上方に向けて折り曲げ、この第２ソーラー部３２上に下文字板７を配置する。そして、この下文字板７の軸挿入孔（図示せず）および第２ソーラー部３２の切欠き孔３２ｂに指針軸１１を挿入させる。
【００７７】
この状態で、下文字板７の上方に突出した指針軸１１に表示回転板１４を取り付けた後、第１連結片３８を連結部３３の接続部３６の端部で上方に向けて折り曲げる。そして、この第１連結片３８の上端部で第１ソーラー部３１を時計ムーブメント６の上方に向けて折り曲げ、この第１ソーラー部３１上に上文字板８を配置する。このときにも、上文字板８の軸挿入孔（図示せず）および第１ソーラー部３１の切欠き孔３１ｂに指針軸１１を挿入させる。
【００７８】
これにより、第１ソーラー部３１と第２ソーラー部３２との各ソーラーセル３４、３５が上方を向いて配置され、連結部３３の接続部３６に設けられた一対の接点端子３７が下側を向いて配置されている。この状態で、時計ムーブメント６を上部ハウジング５ａ内に配置し、この上部ハウジング５ａの下部に下部ハウジング５ｂを配置する。このときには、連結部３３の一対の接点端子３７が下部ハウジング５ｂのばね挿入孔５ｃに対応する。
【００７９】
この状態で、一対の接点端子３７の下側に位置する下部ハウジング５ｂのばね挿入孔５ｃ内に一対のコイルばね２７を配置して、下部ハウジング５ｂの下面に回路基板１０を基板押え板（図示せず）によって取り付ける。すると、図４に示すように、一対のコイルばね２７が、接続部３６と回路基板１０との間に挟まれ、この状態でコイルばね２７の上端部が接続部３６の接点端子３７に弾接して接続部３６を下部ハウジング５ｂに押し付ける共に、コイルばね２７の下端部が回路基板１０の接続電極２６に弾接する。
【００８０】
これにより、接続部３６の一対の接点端子３７と回路基板１０の一対の接続電極２６とが電気的に接続された状態で、ソーラー発電装置３０がハウジング５に組み付けられる。この後、上文字板８の上方に突出した指針軸１１の上部に分針１２および時針１３を取り付けた状態で、ソーラー発電装置３０がハウジング５と共に腕時計ケース１内に組み込まれる。
【００８１】
次に、このような電子腕時計の作用について説明する。
この電子腕時計においても、第１実施形態と同様、分針１２および時針１３が上文字板８の上方を運針して現在時刻を指示する。また、時計ムーブメント６によって表示回転板１４が回転し、表示回転板１４の情報表示部１４ａの一部が、上文字板８の表示開口部８ａに対応して露呈すると、この情報表示部１４ａのいずれかの都市名が指示マーク８ｂによって指示表示され、その指示表示された都市の時刻を分針１２および時針１３が運針して指示する。
【００８２】
このような状態においても、時計ガラス２を通して外部光が腕時計ケース１内に入射し、この入射した外部光によってソーラー発電装置３０が発電する。すなわち、腕時計ケース１内に入射した外部光のうち、上文字板８に照射された光は、この上文字板８を透過して第１ソーラー部３１に照射され、この照射された光によって第１ソーラー部３１のソーラーセル３４が発電する。
【００８３】
同様に、上文字板８の表示開口部８ａを透過した光は、表示回転板１４を透過して下文字板７に照射され、この照射された光が下文字板７を更に透過して第２ソーラー部３２に照射され、この照射された光によって第２ソーラー部３２のソーラーセル３５が発電する。このとき、第１ソーラー部３１にオーバーラップ部３１ａが設けられていても、このオーバーラップ部３１ａの下側に光が回り込んで、第２ソーラー部３２に照射されるので、第１実施形態よりも、多く発電する。
【００８４】
このように発電した電力は、第１実施形態と同様、連結部３３の一対の接点端子３７から一対のコイルばね２７を介して回路基板１０の一対の接続電極２６に送られ、この回路基板１０のコンデンサなどの電源部（図示せず）に電源として一時蓄えられ、この蓄えられた電力によって時計ムーブメント６を駆動する。
【００８５】
このように、この電子腕時計のソーラー発電装置３０によれば、第１実施形態と同様の作用効果があるほか、第１ソーラー部３１と第２ソーラー部３２との間に連結部３３が配置され、この連結部３３の第１連結片３８が、連結部３３の接続部３６の一端部と第１ソーラー部３１の外周における中間部とに折り曲げ可能に連結され、第２連結片３２が、接続部３６の他端部と第２ソーラー部３２の外周における中間部とに折り曲げ可能に連結され、且つ第１連結片３８の長さが第２連結片３９よりも長く形成されているので、第１連結片３８と第２連結片３９とを折り曲げるだけで、第１ソーラー部３１と第２ソーラー部３２とを容易に上下方向に所定間隔Ｓずらして配置することができる。
【００８６】
このため、第１実施形態と同様、第１、第２の各ソーラー部３１、３２を個別に組み付けて個別に接続する必要がなく、一度に組み付けて一度に接続することができるので、複数のソーラー部３１、３２を備えていても、これらを一体化して組立作業および接続作業の簡素化を図ることができる。この場合にも、第１、第２の各ソーラー部３１、３２の高さが、下文字板７と上文字板８との高さに応じて異なっていても、連結部３３によって第１、第２の各ソーラー部３１、３２を良好に配置することができると共に、受光面積を確保することができ、発電量を十分に確保することができる。
【００８７】
また、この場合においても、連結部３３は、その片面のみに接点端子３７および配線パターン３３ａを形成するだけで、両面に配線パターンを形成する必要がないので、第１実施形態と同様、容易に製作することができると共に、この連結部３３の接続部３６に接点端子３７を設けているので、接点端子３７を接続部３６の任意の位置に設けることができるので、接点端子３７の位置を自由に設定することができ、これにより第１実施形態と同様、回路基板１０の接続電極２６などのパターン設計が容易にでき、回路基板１０のパターン設計の自由度を高めることができる。
【００８８】
さらに、第１ソーラー部３１のソーラーセル３４、第２ソーラー部３２のソーラーセル３５、および連結部３３の接点端子３７は、フィルムの同一面に形成されているため、第１ソーラー部３１、第２ソーラー部３２、および連結部３３を下向きにして、第１、第２の各ソーラー部３１、３２を連結部３３の第１、第２の各連結片３８、３９で順次折り曲げるだけで、第１、第２の各ソーラー部３１、３２を異なる高さで配置した状態で、連結部３３の接点端子３７を回路基板１０上の接続電極２６に対向させてコイルばね２７によって確実に且つ容易に接続することができ、これにより接続作業の向上を図ることができる。
【００８９】
（第３実施形態）
次に、図６および図７を参照して、この発明を適用した電子腕時計の第３実施形態について説明する。この場合には、図４および図５に示された第２実施形態と同一部分に同一符号を付して説明する。
この電子腕時計は、図６および図７に示すように、ソーラー発電装置４０の連結部４１が第２実施形態と異なる構成であり、これ以外は第２実施形態とほぼ同じ構成になっている。
【００９０】
このソーラー発電装置４０は、図６および図７に示すように、上文字板８の下面に配置される第１ソーラー部３１と、下文字板７の下面に配置される第２ソーラー部３２と、これら第１、第２の各ソーラー部３１、３２を連結する連結部４１とを備えている。この場合にも、第１、第２の各ソーラー部３１、３２および連結部４１は、図７に示すように、それぞれフレキシブルなフィルムによって一体に形成されている。
【００９１】
連結部４１は、図６および図７に示すように、第１ソーラー部３１と第２ソーラー部３２との間に位置した状態で、これらを折り曲げ可能に連結するものであり、第２ソーラー部３２の下側に位置する領域内、つまり時計ムーブメント６の下面に沿って配置される接続部４２を有し、この接続部４２に第１ソーラー部３１と第２ソーラー部３２とが電気的に接続される一対の接点端子４３が設けられた構成になっている。
【００９２】
この連結部４１には、図７に示すように、第１、第２の各ソーラー部３１、３２の各ソーラーセル３４、３５と一対の接点端子４３とを電気的に接続するための配線パターン４１ａが設けられている。また、この連結部４１は、第１ソーラー部３１および第２ソーラー部３２の間に配置される接続部４２と、この接続部４２の一端部（図７では下端部）および第１ソーラー部３１を連結する第１連結片４４と、接続部４２の他端部（図７では上端部）および第２ソーラー部３２を連結する第２連結片４５とを有している。
【００９３】
この場合にも、第１連結片４４は、図６および図７に示すように、第１ソーラー部３１と第２ソーラー部３２との上下方向における所定間隔Ｓだけ、第２連結片４５よりも長く形成されている。この連結部４１の接続部４２は、図７に示すように、帯状に形成され、その長さが時計ムーブメント６の一部の長さ、つまり時計ムーブメント６の最も長い部分よりも短い長さで形成されている。
【００９４】
また、第１連結片４４は、図７に示すように、その一端部が接続部４２の一端部（図７では下端部）に斜め（図７では右下がり方向）に折り曲げ可能に連結され、他端部が第１ソーラー部３１のほぼ半円の外周部に折り曲げ可能に連結されている。第２連結片４５は、その一端部が接続部４２の他端部（図７では上端部）に斜め（図７では右上がり方向）に折り曲げ可能に連結され、他端部が第２ソーラー部３２のほぼ半円の外周部に折り曲げ可能に連結されている。
【００９５】
この場合、第１連結片４４は、図７に示すように、その一端部が例えば４５度程度の角度で斜めに傾斜して接続部４２の一端部（図７では下端部）に折り曲げ可能に連結されている。第２連結片４５は、その一端部が第１連結片４４における傾斜角度に対してほぼ直交する角度で斜めに傾斜して接続部４２の他端部（図７では上端部）に折り曲げ可能に連結されている。
【００９６】
これにより、連結部４１は、図６および図７に示すように、接続部４２が時計ムーブメント６の下面に沿って配置されると、第１連結片４４と第２連結片４５とが時計ムーブメント６の両側に突出して配置されるように構成されている。この連結部４１の第１連結片４４は、時計ムーブメント６の端部に位置する接続部４２の一端部（図６では右端部）で上方に向けて斜めに折り曲げられ、この斜めに折り曲げられた上部で第１ソーラー部３１を折り曲げて上文字板８の下側に配置するように構成されている。
【００９７】
同様に、第２連結部４５は、図６および図７に示すように、時計ムーブメント６の端部に位置する接続部４２の他端部（図６では左端部）で上方に向けて斜めに折り曲げられ、この斜めに折り曲げられた第２連結部４５の上部で第２ソーラー部３２を折り曲げて下文字板８の下側に配置するように構成されている。
【００９８】
また、この連結部４１の接点端子４３も、第２実施形態と同様、下部ハウジング５ｂの下面に配置される回路基板１０上の一対の接続電極２６に一対のコイルばね２７によって電気的に接続されるように構成されている。この場合にも、一対のコイルばね２７は、図６に示すように、下部ハウジング５ｂのばね挿入孔５ｃ内において、接続部４２と回路基板１０との間に配置されている。
【００９９】
これにより、一対のコイルばね２７は、図６に示すように、その上端部が接続部４２の接点端子４３に弾接して接続部４２をハウジング５に押し付け、且つ下端部が回路基板１０の接続電極２６に弾接し、これにより接続部４２の接点端子４３と回路基板１０の接続電極２６とを電気的に接続するように構成されている。
【０１００】
次に、このソーラー発電装置４０を製作する場合について説明する。
この場合にも、第２実施形態と同様、１枚のフレキシブルなフィルムの同一面上における所定箇所にソーラーセル３４、３５、接点端子４３、および配線パターン４１ａを形成し、このソーラーセル３４、３５および配線パターン４１ａに沿ってフィルムを裁断する。これにより、図７に示すように、第１、第２の各ソーラー部３１、３２および連結部４１が一体に連結されて展開された状態で形成される。
【０１０１】
この状態では、図７に示すように、第１ソーラー部３１は、ほぼ半円形状に形成され、そのほぼ半円の弦部が左側を向き、第２ソーラー部３２は、ほぼ半円形状に形成され、そのほぼ半円の弦部も左側を向き、第１ソーラー部３１と第２ソーラー部３２とが上下方向に離れて配置され、この状態で第１ソーラー部３１のほぼ半円形状の外周部と第２ソーラー部３２のほぼ半円形状の外周部との間に連結部４１が連結された状態で配置されている。
【０１０２】
この場合には、図７に示すように、第１連結片４４が、下文字板７と上文字板８との上下の所定間隔Ｓだけ、第２連結片４５よりも長く形成されている。また、第１連結片４４は接続部４２の一端部（図７では下端部）に右下がりに傾斜して連結されている。同様に、第２連結片４５は接続部４２の他端部（図７では上端部）に右上がりに傾斜して連結されている。
【０１０３】
また、第１ソーラー部３１のソーラーセル３４および第２ソーラー部３２のソーラーセル３５は、フィルムの上面に形成されており、連結部４１の接点端子４３もフィルムの上面に形成されている。このため、ソーラーセル３４、３５は、フィルムの上面である同一面上において、配線パーン４１ａによって連結部４１の接点端子４３と電気的に接続されている。
【０１０４】
次に、このようなソーラー発電装置４０を時計モジュール４に組み付ける場合について説明する。
この場合には、予め、第２実施形態と同様、第１、第２の各ソーラー部３１、３２および連結部４１を表裏反転させて、ソーラーセル３４、３５および接点端子４３を下向きにする。この状態で、連結部４１の接続部４２を時計ムーブメント６の下側に配置して、第１、第２の各連結片４４、４５を時計ムーブメント６の両側に突出させる。
【０１０５】
そして、図６に示すように、第２連結片４５を連結部４１の接続部４２の端部で上方に向けて斜めに折り曲げ、この第２連結片４５の上端部で第２ソーラー部３２を時計ムーブメント６の上方に向けて折り曲げ、この第２ソーラー部３２上に下文字板７を配置する。そして、この下文字板７の軸挿入孔（図示せず）および第２ソーラー部３２の切欠き孔３２ｂに指針軸１１を挿入させる。
【０１０６】
この状態で、下文字板７の上方に突出した指針軸１１に表示回転板１４を取り付けた後、第１連結片４４を連結部４１の接続部４２の端部で上方に向けて斜めに折り曲げる。そして、この第１連結片４４の上端部で第１ソーラー部３１を時計ムーブメント６の上方に向けて折り曲げ、この第１ソーラー部３１上に上文字板８を配置する。このときにも、上文字板８の軸挿入孔（図示せず）および第１ソーラー部３１の切欠き孔３１ｂに指針軸１１を挿入させる。
【０１０７】
これにより、第１ソーラー部３１と第２ソーラー部３２との各ソーラーセル３４、３５が上方を向いて配置され、連結部４１の接続部４２に設けられた一対の接点端子４３が下側を向いて配置されている。この状態で、第２実施形態と同様、時計ムーブメント６を上部ハウジング５ａ内に配置し、この上部ハウジング５ａの下部に下部ハウジング５ｂを配置する。このときには、連結部４１の一対の接点端子４３が下部ハウジング５ｂのばね挿入孔５ｃに対応する。
【０１０８】
この状態で、一対の接点端子４３の下側に位置する下部ハウジング５ｂのばね挿入孔５ｃ内に一対のコイルばね２７を配置して、下部ハウジング５ｂの下面に回路基板１０を基板押え板（図示せず）によって取り付ける。すると、図６に示すように、一対のコイルばね２７が、接続部４２と回路基板１０との間に挟まれ、この状態でコイルばね２７の上端部が接続部４２の接点端子４３に弾接して接続部４２を下部ハウジング５ｂに押し付ける共に、コイルばね２７の下端部が回路基板１０の接続電極２６に弾接する。
【０１０９】
これにより、接続部４２の一対の接点端子４３と回路基板１０の一対の接続電極２６とが電気的に接続された状態で、ソーラー発電装置４０がハウジング５に組み付けられる。そして、上文字板８の上方に突出した指針軸１１の上部に分針１２および時針１３を取り付け、この状態でソーラー発電装置４０がハウジング５と共に腕時計ケース１内に組み込まれる。
【０１１０】
次に、このような電子腕時計の作用について説明する。
この電子腕時計においても、第１実施形態と同様、分針１２および時針１３が上文字板８の上方を運針して現在時刻を指示する。また、時計ムーブメント６によって表示回転板１４が回転し、表示回転板１４の情報表示部１４ａの一部が上文字板８の表示開口部８ａに対応して露呈する。そして、この情報表示部１４ａのいずれかの都市名が指示マーク８ｂによって指示表示され、その指示表示された都市の時刻を分針１２および時針１３が運針して指示する。
【０１１１】
このような状態においても、第２実施形態と同様、時計ガラス２を通して外部光が腕時計ケース１内に入射し、この入射した外部光によってソーラー発電装置４０が発電する。すなわち、腕時計ケース１内に入射した外部光のうち、上文字板８に照射された光は、この上文字板８を透過して第１ソーラー部３１に照射され、この照射された光によって第１ソーラー部３１のソーラーセル３４が発電する。
【０１１２】
同様に、上文字板８の表示開口部８ａを透過した光は、表示回転板１４を透過して下文字板７に照射され、この照射された光が下文字板７を更に透過して第２ソーラー部３２に照射され、この照射された光によって第２ソーラー部３２のソーラーセル３５が発電する。このとき、第１ソーラー部３１にオーバーラップ部３１ａが設けられていても、このオーバーラップ部３１ａの下側に光が回り込んで、第２ソーラー部３２に照射されるので、第１実施形態よりも多く発電する。
【０１１３】
このように発電した電力は、第１実施形態と同様、連結部４１の一対の接点端子４３から一対のコイルばね２７を介して回路基板１０の一対の接続電極２６に送られ、この回路基板１０のコンデンサなどの電源部（図示せず）に電源として一時蓄えられ、この蓄えられた電力によって時計ムーブメント６を駆動する。
【０１１４】
このように、この電子腕時計のソーラー発電装置４０によれば、第２実施形態と同様の作用効果があるほか、連結部４１の第１連結片４４が、接続部４２の一端部と第１ソーラー部３１の外周とに折り曲げ可能に連結され、第２連結片３２が、接続部４２の他端部と第２ソーラー部３２の外周とに折り曲げ可能に連結されているので、第１連結片４４と第２連結片４５とを折り曲げるだけで、第１ソーラー部３１と第２ソーラー部３２とを容易に上下方向に所定間隔Ｓずらして配置することができる。
【０１１５】
この場合、連結部４１の第１連結片４４は、その一端部が接続部４２の一端部に斜めに折り曲げ可能に連結され、この第１連結片４４の他端部が第１ソーラー部３１の外周部に折り曲げ可能に連結されており、第２連結片４５は、その一端部が接続部４２の他端部に斜めに折り曲げ可能に連結され、この第２連結片４５の他端部が第２ソーラー部３２の外周部に折り曲げ可能に連結されているので、接続部４２を時計ムーブメント６およびハウジング５の各中心からずらした位置に配置した状態で、第１ソーラー部３１と第２ソーラー部３２とを容易に上下方向に所定間隔Ｓずらして配置することができる。
【０１１６】
このため、このソーラー発電装置４０においても、第１、第２の各ソーラー部３１、３２を個別に組み付けて個別に接続する必要がなく、一度に組み付けて一度に接続することができるので、複数のソーラー部３１、３２を備えていても、これらを一体化して組立作業および接続作業の簡素化を図ることができる。これにより、接続スペースを最小限に抑えて、装置全体をコンパクトに構成することができるほか、下文字板７と上文字板８との高さが異なっていても、第１、第２の各ソーラー部３１、３２を連結部４１によって良好に配置することができる。
【０１１７】
この場合にも、連結部４１は、その片面のみに接点端子４３および配線パターン４１ａを形成するだけで、両面に配線パターンを形成する必要がないので、第２実施形態と同様、容易に製作することができると共に、この連結部４１の接続部４２に接点端子４３を設けているので、接点端子４３を接続部４２の任意の位置に設けることができるので、接点端子４３の位置を自由に設定することができ、これにより第２実施形態と同様、回路基板１０の接続電極２６などのパターン設計が容易にでき、回路基板１０のパターン設計の自由度を高めることができる。
【０１１８】
なお、上述した第１〜第３の各実施形態では、第１ソーラー部１６、３１と第２ソーラー部１７、３２とをそれぞれほぼ半円形状に形成した場合について述べたが、必ずしもほぼ半円形状に形成する必要はなく、例えば六角形、八角形などの多角形をほぼ半分にした形状であっても良く、また楕円をほぼ半分した形状であっても良い。
【０１１９】
また、上述した第１〜第３の各実施形態では、連結部１８、３３、４１の各接続部２２、３６、４２に設けられた接点端子２３、３７、４３と回路基板１０の接続電極２６とをコイルばね２７によって電気的に接続した場合について述べたが、必ずしもコイルばね２７で接続する必要はなく、例えばインターコネクタなどの接続部材で電気的に接続するように構成しても良い。
【０１２０】
また、上述した第１〜第３の各実施形態では、表示回転板１４の情報表示部１４ａに世界の主要都市を表示した場合について述べたが、必ずしも情報表示部１４ａに世界の主要都市を表示する必要はなく、例えば気温や湿度、気圧、月の満ち欠け、潮の満ち引きなどを表示するように構成しても良い。
【０１２１】
さらに、上述した第１〜第３の各実施形態では、電子腕時計に適用した場合について述べたが、必ずしも電子腕時計である必要はなく、例えばトラベルウオッチ、目覚まし時計、置き時計、掛け時計などの各種の電子時計に広く適用することができる。
【０１２２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１２３】
（付記）
請求項１に記載の発明は、複数のソーラーセルが平面的に配列された第１ソーラー部と、複数のソーラーセルが平面的に配列され、前記第１ソーラー部に対して面方向に位置がずれた状態で、前記第１ソーラー部より下側に所定間隔を隔てて配置された第２ソーラー部と、前記第１ソーラー部と前記第２ソーラー部とを折り曲げ可能に連結する連結部と、を備え、前記連結部は、前記第２ソーラー部より下側に位置する領域内に配置される接続部を有し、この接続部に前記第１ソーラー部と前記第２ソーラー部とが電気的に接続される接点端子が設けられていることを特徴とするソーラー発電装置である。
【０１２４】
請求項２に記載の発明は、請求項１に記載のソーラー発電装置において、前記第１ソーラー部と前記第２ソーラー部と前記連結部とは、フレキシブルなフィルムによって一体に連結形成されていることを特徴とするソーラー発電装置である。
【０１２５】
請求項３に記載の発明は、請求項１または請求項２に記載のソーラー発電装置において、前記連結部は、前記接続部と前記第１ソーラー部とを連結する第１連結片と、前記接続部と前記第２ソーラー部とを連結する第２連結片とを有し、前記第１連結片が前記第２連結片よりも前記第１ソーラー部と前記第２ソーラー部との上下方向における前記間隔だけ長く形成されていることを特徴とするソーラー発電装置である。
【０１２６】
請求項４に記載の発明は、請求項１〜請求項３のいずれかに記載のソーラー発電装置において、前記連結部は、前記第１、第２の各ソーラー部の側方に位置し、前記第１連結片は、前記第１ソーラー部の外周部の一端部と前記接続部の一側部とに折り曲げ可能に連結され、前記第２連結片は、前記第１ソーラー部の前記一端部に隣接する前記第２ソーラー部の外周部の一端部と前記接続部の前記一側部とに、前記第１連結片と平行な状態で、折り曲げ可能に連結されていることを特徴とするソーラー発電装置である。
【０１２７】
請求項５に記載の発明は、請求項１〜請求項３のいずれかに記載のソーラー発電装置において、前記連結部は、前記第１、第２の各ソーラー部の間に位置し、前記第１連結片は、前記第１ソーラー部の外周における中間部と前記接続部の一端部とに折り曲げ可能に連結され、前記第２連結片は、前記第２ソーラー部の外周における中間部と前記接続部の他端部とに折り曲げ可能に連結されていることを特徴とするソーラー発電装置である。
【０１２８】
請求項６に記載の発明は、請求項１〜請求項３のいずれかに記載のソーラー発電装置において、前記連結部は、前記第１、第２の各ソーラー部の間に位置し、前記第１連結片は、その一端部が前記接続部の一端部に斜めに折り曲げ可能に連結されていると共に、前記第１連結片の他端部が前記第１ソーラー部の外周部に折り曲げ可能に連結されており、前記第２連結片は、その一端部が前記接続部の他端部に斜めに折り曲げ可能に連結されていると共に、前記第２連結片の他端部が前記第２ソーラー部の外周部に折り曲げ可能に連結されていることを特徴とするソーラー発電装置である。
【０１２９】
請求項７に記載の発明は、請求項１〜請求項６のいずれかに記載のソーラー発電装置において、前記連結部の前記接続部における前記接点端子は、前記第２ソーラー部より下側に位置する回路基板上の接続電極に接続部材によって電気的に接続されていることを特徴とするソーラー発電装置である。
【０１３０】
請求項８に記載の発明は、請求項１に記載されたソーラー発電装置を備えていることを特徴とする電子時計である。
【符号の説明】
【０１３１】
１  腕時計ケース
４  時計モジュール
６  時計ムーブメント
７  下文字板
８  上文字板
８ａ  表示開口部
１０  回路基板
１４  表示回転板
１５、３０、４０  ソーラー発電装置
１６、３１  第１ソーラー部
１７、３２  第２ソーラー部
１８、３３、４１  連結部
２０、２１、３４、３５  ソーラーセル
２２、３６、４２  接続部
２３、３７、４３  接点端子
２４、３８、４４  第１連結片
２５、３９、４５  第２連結片
２６  接続電極
２７  コイルばね
【図１】
0005888071.tif 000002
【図２】
0005888071.tif 000003
【図３】
0005888071.tif 000004
【図４】
0005888071.tif 000005
【図５】
0005888071.tif 000006
【図６】
0005888071.tif 000007
【図７】
0005888071.tif 000008